(57)【要約】【課題】自立歩行困難な居宅生活者が居場所を移動する際に床面との滑り摩擦抵抗を極力軽減することにより匍匐・膝行動作を補助する。【解決手段】匍匐・膝行補助用装身具が、床材又は床敷材の表面に対する滑り摩擦抵抗を低減した布帛、合成繊維その他の高滑性素材又はシート形成した高分子ポリマーその他の自己潤滑性素材からなる滑動パッチ部材１と、該滑動パッチ部材１を居宅生活者の匍匐および／または膝行の態様に応じて大腿、膝、下腿、足背、踵、腹、胸、腰、臀部その他の身体の床面接触部位に当てがって仮固定可能な装着手段２（２１，２２）　有している。また、滑動パッチ部材１を縫着又は被着した匍匐・膝行補助用パンツである。さらに、同様の作用効果を匍匐・膝行用衣服の特定部位に対する表面潤滑（防滑）処理により実現可能とした機能傾斜処理方法及び匍匐・膝行補助用傾斜機能衣服である。【選択図】　　　図１
2004105693.tif 000002
【特許請求の範囲】
【請求項１】
下半身が不自由な障害者や要介護者その他の自立歩行困難な居宅生活者に供される匍匐・膝行補助用装身具であって、
床材又は床敷材の表面に対する滑り摩擦抵抗を低減した布帛、合成繊維その他の高滑性素材又はシート形成した高分子ポリマーその他の自己潤滑性素材からなる滑動パッチ部材と、該滑動パッチ部材を前記居宅生活者の匍匐および／または膝行の態様に応じて大腿、膝、下腿、足背、踵、腹、胸、腰、臀部その他の身体の床面接触部位に当てがって仮固定可能な装着手段を有してなり、居場所を移動する際に床面との滑り摩擦抵抗を極力軽減して匍匐および／または膝行動作を補助するようにしたことを特徴とする匍匐・膝行補助用装身具。
【請求項２】
滑動パッチ部材が積層体であって、少なくとも空気層を有したものである請求項１記載の匍匐・膝行補助用装身具。
【請求項３】
滑動パッチ部材がクッションであって、弾性体を充填した複数条の膨出部を有し、その条方向に移動するものである請求項１記載の匍匐・膝行補助用装身具。
【請求項４】
滑動パッチ部材が滑動による摩擦帯電を防止するために導電性繊維その他の静電気除去材を一組成要素とするものである請求項１記載の匍匐・膝行補助用装身具。
【請求項５】
滑動パッチ部材の周縁部又は周辺部に防滑部材又は防滑処理を施し、エッジ効果により過剰な滑りを制御するようにした請求項１記載の匍匐・膝行補助用装身具。
【請求項６】
滑動パッチ部材が薄片又は箱型チップの連結体であって、該薄片又は箱型チップの片面に平行な長穴を設け、該長穴を介して前記薄片又は箱型チップの片面の表裏にリボン状の高滑性素材又は自己潤滑性素材を架け渡して両端を接合し、前記薄片又は箱型チップを支持体とするエンドレスなベルトを同一方向に並べて多点構成し、ベルトの回転方向に移動するものである請求項１記載の匍匐・膝行補助用装身具。
【請求項７】
請求項１乃至６のいずれか１項記載の匍匐・膝行補助用装身具において、匍匐および／または膝行動作を自力駆動するための高摩擦部材又は防滑部材であって、手掌、肘その他の身体の床面接触部位に当てがって仮固定可能な装着手段を有したものを組み合わせて装着し、居場所を移動する際に床面との滑り摩擦抵抗を高めて匍匐および／または膝行動作を補助するようにしたことを特徴とする匍匐・膝行補助用装身具。
【請求項８】
下半身が不自由な障害者や要介護者その他の自立歩行困難な居宅生活者に供される匍匐・膝行補助用パンツであって、
床材又は床敷材の表面に対する滑り摩擦抵抗を低減した布帛、合成繊維その他の高滑性素材又はシート形成した高分子ポリマーその他の自己潤滑性素材からなる滑動パッチ部材を、前記居宅生活者の匍匐および／または膝行の態様に応じて大腿、膝、下腿、足背、踵、腹、胸、腰、臀部その他の身体の床面接触部位に縫着又は被着してなり、居場所を移動する際に床面との滑り摩擦抵抗を極力軽減して匍匐および／または膝行動作を補助するようにしたことを特徴とする匍匐・膝行補助用パンツ。
【請求項９】
滑動パッチ部材が積層体であって、少なくとも空気層を有したものである請求項８記載の匍匐・膝行補助用パンツ。
【請求項１０】
滑動パッチ部材がクッションであって、弾性体を充填した複数条の膨出部を有し、その条方向に移動するものである請求項８記載の匍匐・膝行補助用パンツ。
【請求項１１】
滑動パッチ部材が滑動による摩擦帯電を防止するために導電性繊維その他の静電気除去材を一組成要素とするものである請求項８記載の匍匐・膝行補助用パンツ。
【請求項１２】
滑動パッチ部材の周縁部又は周辺部に防滑部材又は防滑処理を施し、エッジ効果により過剰な滑りを制御するようにした請求項８記載の匍匐・膝行補助用パンツ。
【請求項１３】
滑動パッチ部材が薄片又は箱型チップの連結体であって、該薄片又は箱型チップの片面に平行な長穴を設け、該長穴を介して前記薄片又は箱型チップの片面の表裏にリボン状の高滑性素材又は自己潤滑性素材を架け渡して両端を接合し、前記薄片又は箱型チップを支持枠とするエンドレスなベルトを同一方向に並べて多点構成し、ベルトの回転方向に移動するものである請求項８記載の匍匐・膝行補助用パンツ。
【請求項１４】
下半身が不自由な障害者や要介護者その他の自立歩行困難な居宅生活者が日常的に装着する衣服に対しておこなう機能傾斜処理方法であって、
床材又は床敷材の表面に対する滑り摩擦抵抗を低減するために、前記居宅生活者の匍匐および／または膝行の態様に応じて床面に滑り接触する移動接触部位に高滑性を付与する表面潤滑処理を施すとともに、床面移動に係る身体駆動力を増補するために、床面に力圧接触する駆動接触部位には防滑性を付与する表面摩擦処理を施し、居場所を移動する際の匍匐および／または膝行動作を補助するようにしたことを特徴とする匍匐・膝行用衣服の機能傾斜処理方法。
【請求項１５】
下半身が不自由な障害者や要介護者その他の自立歩行困難な居宅生活者が日常的に装着する匍匐・膝行補助用傾斜機能衣服であって、
床材又は床敷材の表面に対する滑り摩擦抵抗を低減するために、前記居宅生活者の匍匐および／または膝行の態様に応じて床面に滑り接触する移動接触部位に高滑性を付与した表面潤滑処理部を形成してなり、居場所を移動する際に床面との滑り摩擦抵抗を極力軽減して匍匐および／または膝行動作を補助するようにしたことを特徴とする匍匐・膝行補助用傾斜機能衣服。
【請求項１６】
匍匐および／または膝行による床面移動に係る身体駆動力を増補するために、床面に力圧接触する駆動接触部位に防滑性を付与した表面防滑処理部を形成してなり、居場所を移動する際に床面とのトラクションを極力増大して匍匐および／または膝行動作を補助するようにした請求項１５記載の匍匐・膝行補助用傾斜機能衣服。
【請求項１７】
表面潤滑処理部および／または表面防滑処理部に色彩又は模様その他の意匠を施すことにより視認性を付与してなる請求項１５又は１６記載の匍匐・膝行補助用傾斜機能衣服。
【請求項１８】
表面潤滑処理部および／または表面防滑処理部が、溶洗可能な樹脂系処理剤を用いて浸漬、塗布、含浸、被覆その他の表面処理を施すことにより機能形成されるものである請求項１５又は１６記載の匍匐・膝行補助用傾斜機能衣服。
【発明の詳細な説明】
【０００１】
【発明の属する技術分野】
本発明は、下半身が不自由な障害者や要介護者その他の自立歩行困難な居宅生活者に供され、居場所を移動する際に床面との滑り摩擦抵抗を極力軽減して匍匐・膝行動作を補助するようにした匍匐・膝行補助用装身具及び匍匐・膝行補助用パンツ、並びに匍匐・膝行用衣服の機能傾斜処理方法及び匍匐・膝行補助用傾斜機能衣服に関する。匍匐は臥位這行と、膝行は躄る（いざる）又は座位這行と同義である。ここで、座位這行には臀部を着いて移動する動作態様を含む。なお、床材には畳表を含み、床敷材にはカーペットを含む。また、以下の叙述において、摩擦抵抗と摩擦係数はμ（＝Ｒ／Ｎ）を指標として互換的に用いる。さらに、材料（衣服）については傾斜機能、処理については機能傾斜として使い分けているが、「使用条件に合わせて意図的又は積極的に機能を変化させる」という点では同じ意味（Ｆｕｎｃｔｉｏｎａｌｌｙ　ｇｒａｄｅｄ）で使用しており、互換的に理解されたい。
【０００２】
【従来の技術】
従来より、下半身が不自由な障害者が居室の床面を移動する際は介護者による移動や車椅子等の移動手段による移動が行われてきた。人手で扱える（他力操作の）移動補助具としては、中空円筒状のマット構造物が知られている程度である。（例えば、特許文献１を参照。）
【０００３】
【特許文献１】
特開平８−２５７０７４号（全図）
【０００４】
ここでは、素材に関する動摩擦係数の提案があるが、物の発明としては、体位変換時等に身体と寝具間に介在させて作業負荷を軽減するスペーサなどと大きな違いはない。
【０００５】
ところで、介護者による移動は自立的な手段ではなく、また介護者への負担が大きいという不可避的な問題がある。一方、車椅子による移動は、屋外や廊下などの移動距離の大きな場合に適するが、居室内での小移動には必ずしも適さない。その理由としては、車椅子のため大きな空間が必要なこと。ベッドや床面との間の移乗介助が要ること。車椅子でのかなり拘束された座位姿勢の長時間継続は坐骨結節部の褥瘡や同一姿勢保持による腰背部痛や頚部痛の原因となる。
【０００６】
そのため、多くの障害者にあっては多様な姿勢がとれる床面と布団の生活（所謂、和式生活。）を望んでいるが、床面の匍匐・膝行移動に際して衣服と床面との摩擦係数が大きく、匍匐力又は膝行力を与える腕などに過大な力を要し、腕や肩関節などを痛める原因となっている。床面の匍匐・膝行移動に関する理解を助けるために、匍匐動作を図６に、膝行動作を図７に示す。
【０００７】
【発明が解決しようとする課題】
この問題を解決するため、床面での移動が容易に行われ、かつ移動手段によって日常動作を障害せず自由に姿勢を変換できるような摩擦係数を極力低減した衣服又は衣服に装着する移動補助装具（本発明に関し、匍匐・膝行補助用装身具。）が要請される。
【０００８】
ここで、匍匐・膝行する場合の床面との摩擦係数は１．０　くらいであり、歩行する場合には匍匐する場合の１／３０程度（約０．０３）　に摩擦係数が低下するとされている。これを６０ｋｇの体重の人にあてはめると、摩擦牽引力（トラクション）は摩擦抵抗と重量（抗力）との積であらわされるため、匍匐では６０ｋｇｆ　、歩行では２．０ｋｇｆ程度に相当する。このように匍匐動作は機械などを使用せず、小移動には適しており、姿勢の自由（度）　は高いが、移動に際しての摩擦抵抗が大きいため、腕や肩関節に負担がかかる。
【０００９】
したがって、匍匐・膝行移動を容易にするためには、衣服と床材又は床敷材の表面との接触部位の滑り摩擦を低下させることが必要である。そのためには、接触部位に摩擦係数の小さい（具体的には０．１　程度以下）　高滑性素材又は自己潤滑性素材を使用して滑り摩擦抵抗を極力低減することが望まれる。
【００１０】
また、摩擦係数は、床材（詳しくは床材と衣服間、又は床材と装具間。）の性質にも左右されるため、摩擦係数の高い床材（例えば、絨毯やカーペット。）を使用している場合は、トイレや玄関などへの頻繁に移動する生活動線上に高滑性素材を敷いて滑動ルートを作り、移動しやすくすることも考慮される。
【００１１】
本発明は、このような事情に鑑みなされたものであって、下半身が不自由な障害者や要介護者その他の自立歩行困難な居宅生活者に供され、居場所を移動する際に床面との滑り摩擦抵抗を極力軽減して匍匐・膝行動作を補助するようにした匍匐・膝行補助用装身具及び匍匐・膝行補助用パンツを提供するものである。あわせて、身体駆動による床面移動の負荷を軽減するという観点から、日常的に装着する衣服に対しておこなう機能傾斜処理方法及び匍匐・膝行用傾斜機能衣服を提供するものである。
【００１２】
【課題を解決するための手段】
課題を解決するために本発明は、匍匐・膝行補助用装身具であって、床材又は床敷材の表面に対する滑り摩擦抵抗を低減した布帛、合成繊維その他の高滑性素材又はシート形成した高分子ポリマーその他の自己潤滑性素材からなる滑動パッチ部材と、該滑動パッチ部材を前記居宅生活者の匍匐および／または膝行の態様に応じて大腿、膝、下腿、足背、踵、腹、胸、腰、臀部その他の身体の床面接触部位に当てがって仮固定可能な装着手段を有してなり、居場所を移動する際に床面との滑り摩擦抵抗を極力軽減して匍匐および／または膝行動作を補助するようにしたことを特徴とするものである。
【００１３】
また、匍匐・膝行補助用パンツであって、床材又は床敷材の表面に対する滑り摩擦抵抗を低減した布帛、合成繊維その他の高滑性素材又はシート形成した高分子ポリマーその他の自己潤滑性素材からなる滑動パッチ部材を、前記居宅生活者の匍匐および／または膝行の態様に応じて大腿、膝、下腿、足背、踵、腹、胸、腰、臀部その他の身体の床面接触部位に縫着又は被着してなり、居場所を移動する際に床面との滑り摩擦抵抗を極力軽減して匍匐および／または膝行動作を補助するようにしたことを特徴とするものである。
【００１４】
また、下半身が不自由な障害者や要介護者その他の自立歩行困難な居宅生活者が日常的に装着する衣服に対しておこなう機能傾斜処理方法であって、床材又は床敷材の表面に対する滑り摩擦抵抗を低減するために、前記居宅生活者の匍匐および／または膝行の態様に応じて床面に滑り接触する移動接触部位に高滑性を付与する表面潤滑処理を施すとともに、床面移動に係る身体駆動力を増補するために、床面に力圧接触する駆動接触部位には防滑性を付与する表面摩擦処理を施し、居場所を移動する際の匍匐および／または膝行動作を補助するようにしたことを特徴とするものである。
【００１５】
さらに、上記機能傾斜処理を施した匍匐・膝行補助用傾斜機能衣服であって、床材又は床敷材の表面に対する滑り摩擦抵抗を低減するために、前記居宅生活者の匍匐および／または膝行の態様に応じて床面に滑り接触する移動接触部位に高滑性を付与した表面潤滑処理部を形成してなり、居場所を移動する際に床面との滑り摩擦抵抗を極力軽減して匍匐および／または膝行動作を補助するようにしたことを特徴とするものである。
【００１６】
ここで、匍匐および／または膝行による床面移動に係る身体駆動力を増補するために、床面に力圧接触する駆動接触部位に防滑性を付与した表面防滑処理部を形成してなり、居場所を移動する際に床面とのトラクションを極力増大して匍匐および／または膝行動作を補助するものとする。
【００１７】
【発明の実施の形態】
本発明の実施の形態を添付図面を参照しながら以下説明する。
【００１８】
図１は、本発明装身具の一実施形態の外観視説明図であり、（ａ，ｂ，ｃ）がベルト構成（面テープを含む）による装着手段、（ｄ）が面テープによる装着手段を示す。
【００１９】
図２は、箱型チップを連結した滑動パッチ部材を主体とする本発明装身具の実施形態の外観視説明図であり、（ａ）が全体構成図、及び（ｂ）が単位箱型チップの外観視説明図、及び（ｃ）が単位箱型チップのＡＡ断面視説明図である。
【００２０】
図３は、本発明装身具の装着部位を示す模式説明図であり、（ａ）が匍匐、（ｂ）が膝行、及び（ｃ）が座位這行の場合を示す。図中、〇印が装着部位である。
【００２１】
図４は、使用状態説明図であり、（ａ）が匍匐態様、（ｂ）が膝行態様、及び（ｃ）が座位這行態様を示す。
【００２２】
図５は、本発明パンツの（ａ）正面視説明図、及び（ｂ）背面視説明図である。
【００２３】
滑動パッチ部材１には、床材又は床敷材の表面に対する滑り摩擦抵抗を低減した布帛、合成繊維その他の高滑性素材又はシート形成した高分子ポリマーその他の自己潤滑性素材を用いる。高分子ポリマーとしては、超高分子量ポリエチレンなどがある。
【００２４】
滑動パッチ部材１をあてがう身体の装着部位は、居宅生活者の匍匐および／または膝行の態様に応じて床面との接触部位となる大腿、膝、下腿、足背、踵、腹、胸、腰、臀部である。
【００２５】
装身具Ｘ及びパンツＹの各構成に共通して、滑動パッチ部材１が積層体であって、少なくとも空気層を有したものとしている。
【００２６】
また、滑動パッチ部材１がクッションであって、空気を含む弾性体を充填した複数条の膨出部１１を有し、その条方向に移動するものとして構成する場合がある。
【００２７】
これらの手段構成は、高滑性素材又は自己潤滑性素材を常時装着できるようにするためであり、身体を圧迫しないように、薄く容易に折れ曲がる布帛状の素材や弾力性のある空気層やクッション性の素材からなるものが好ましいからである。ここで、膨出部１１を設けるのは、体表面に凹凸があり、滑動パッチ部材１がしわになり、摩擦が高まるのを防ぐ手段を講じたものである。なお、匍匐・膝行補助用パンツＹの形態は、装着手段２を介して滑動パッチ部材１の脱着を不要とする装着性の変更にある。
【００２８】
また、いずれの場合においても、滑動パッチ部材１は導電性繊維その他の静電気除去材を一組成要素とするものであるのが好ましい。
【００２９】
すなわち、床材との摩擦帯電により静電気の放電現象が発生すると不快であり、これを防止するために静電気除去材を織成するものである。静電気除去材は公知の導電性繊維等であってよい。
【００３０】
さらに、滑動パッチ部材１の周縁部又は周辺部に防滑部材３（又は防滑処理）を施し、エッジ効果により過剰な滑りを制御するようにしてもよい。目的場所に近づいたときに、適宜動作により制動可能とするためである。
【００３１】
さらにまた、滑動パッチ部材１の構成は種々の改変が考慮されてよい。例えば、図２に多数の薄片１２１　を含む単位箱型チップ１２を結合した連結体〔滑動パッチ部材１〕を示すように、箱型チップ１２の片面に平行な長穴１３を設け、該長穴１３を介して箱型チップ１２の片面の表裏にリボン状の高滑性素材又は自己潤滑性素材を架け渡して両端を接合し、この箱型チップ１２を支持枠（又はバックル要素）とするエンドレスなベルトを同一方向に並べて配置し、滑動部を多点構成している。
【００３２】
ここでは、ベルトがキャタピラーの要領で回転しながら無限軌道として機能することにより、滑動性の最大効果を期待しているが、ベルト回転の可否は特に問題ではない。滑動パッチ部材１を多点構成することにより、滑動性に関しては他の実施形態と同等かそれ以上の効果を獲得できるからである。
【００３３】
なお、匍匐・膝行補助用装身具Ｘにおいては、匍匐および／または膝行動作を自力駆動するための高摩擦部材又は防滑部材であって、手掌、肘その他の身体の床面接触部位に当てがって仮固定可能な装着手段を有したものを組み合わせて装着し、居場所を移動する際に床面との滑り摩擦抵抗を高めて匍匐および／または膝行動作を補助することを勧奨する。〔図示省略〕
【００３４】
ところで、本発明の保護範囲からはやや逸脱するが、床面が滑り難い場合（例えば、絨毯やカーペットを使用している場合。）は、トイレや玄関などへの頻繁に移動する生活動線上に高滑性素材を敷いて滑動ルート〔図示省略〕を作り、移動しやすくすることを考慮してよい。
【００３５】
さらに、装身具又はパンツと滑動ルート（高滑性素材）との接触面に公知の摩擦軽減助材、例えばワックスや水分や粉体等を介在させてもよいであろう。
【００３６】
本発明の他の実施の形態を添付図面を参照しながら以下説明する。
【００３７】
図８は、本発明の傾斜機能衣服の一実施形態を示す外観視説明図である。
【００３８】
本実施形態では、下肢障害者その他の自立歩行困難な居宅生活者にとって、身体駆動による床面移動の負荷を軽減するための手法を傾斜機能と指称し、日常的に装着する衣服に対しておこなう匍匐・膝行用衣服の機能傾斜処理方法及び匍匐・膝行用傾斜機能衣服の具体例を示すものである。
【００３９】
その趣旨は、潤滑要素である滑動パッチ部材を装着又は添着する構成に留まらず、所望の目的効果を得るための技術手段を、包括的に機能傾斜処理（表面潤滑処理及び表面防滑処理）として特徴抽出することができるという点にある。
【００４０】
そこで、機能傾斜処理方法は、匍匐・膝行用衣服に対して、床材又は床敷材の表面に対する滑り摩擦抵抗を低減するために、居宅生活者の匍匐および／または膝行の態様に応じて床面に滑り接触する移動接触部位１００　に高滑性を付与する表面潤滑処理を施すとともに、床面移動に係る身体駆動力を増補するために、床面に力圧接触する駆動接触部位３００　には防滑性を付与する表面摩擦処理を施すものである。
【００４１】
図示するように、傾斜機能衣服Ｚは、上記処理による表面潤滑処理部１００　と表面防滑処理部３００　を有しており、居場所を移動する際に、表面潤滑処理部１００　では床面との滑り摩擦抵抗を極力軽減する一方、表面防滑処理部３００　では床面とのトラクションを極力増大して、相乗的に匍匐および／または膝行動作を補助するように構成されている。
【００４２】
ここで、表面潤滑処理部１００　および／または表面防滑処理部３００　に色彩又は模様その他の意匠を施すことにより視認性を付与する場合がある。処理部位が明瞭となり、磨耗や汚れの程度を観察することにより使用状態が把握できるからである。
【００４３】
また、表面潤滑処理部１００　および／または表面防滑処理部３００　が、溶洗可能な樹脂系処理剤を用いて浸漬、塗布、含浸、被覆その他の表面処理を施すことにより機能形成するのが好ましい。
【００４４】
表面潤滑処理に好適な樹脂系処理剤にはフッ素樹脂や高密度ポリエチレンがあり、表面防滑処理に好適な樹脂系処理剤にはユリア樹脂やメラミン樹脂がある。例えば、表面潤滑処理に関しては、フッ素樹脂を含有する溶液を調製し、移動接触部位１００　にくり抜き型等を当てて表面（装着外面）から噴霧又は塗布したり、ろうけつ染めの方法で移動接触部位１００　を浸漬することが考慮される。表面防滑処理に関しても同様である。
【００４５】
なお、表面潤滑処理や表面防滑処理は、移動時に機能し、非移動時には生活行動の妨げにならないように、必要最小限の範囲に局限処理することが望まれる。そのためには、必要に応じて個々に体圧分布を調べて処理部位を特定することが考慮される。体圧分布は、公知の圧力分布測定システムを用いて、最大接触面積のフレーム表示を評価することにより特定することができる。
【００４６】
機能傾斜処理をすることの利点は以下のとおりである。
【００４７】
▲１▼日常的に装着する衣服（普段着又は常住着）に対してそのまま潤滑機能又は防滑機能を付与できるので手軽である。
▲２▼処理コストを大きく低減できる。
▲３▼機能性部材を外付けすることを要しないので縫製箇所等での対応皮膚面に対する圧迫負担が無い。このことは、一般に皮膚の圧迫に対する抵抗力が弱くなっている障害者に適する。
▲４▼溶洗可能な処理剤を用いることにより、障害の進行による床面移動形態の変化に伴う処理部位の変更が容易である。
【００４８】
【発明の効果】
本発明は以上の構成よりなるものであり、これによれば匍匐および／または膝行動作を機能的に補助するので、下半身が不自由な障害者や要介護者その他の自立歩行困難な居宅生活者の和式生活における移動負担の軽減に寄与することができる。
【００４９】
座位又は臥位による這行を移動手段とする和式生活の支援用具となりうる点で、社会的にも有用であり、介護者の負担軽減にも寄与するものである。
【図面の簡単な説明】
【図１】本発明装身具の外観視説明図であり、（ａ，ｂ，ｃ）がベルト構成による装着手段、（ｄ）が面テープによる装着手段を示す。
【図２】箱型チップを連結した滑動パッチ部材を主体とする本発明装身具の実施形態の外観視説明図であり、（ａ）が全体構成図、及び（ｂ）が単位箱型チップの外観視説明図、及び（ｃ）が単位箱型チップのＡＡ断面視説明図である。
【図３】本発明装身具の装着部位を示す模式説明図であり、（ａ）が匍匐、（ｂ）が膝行、及び（ｃ）が座位這行の場合を示す。
【図４】同じく使用状態説明図であり、（ａ）が匍匐態様、（ｂ）が膝行態様、及び（ｃ）が座位這行態様を示す。
【図５】本発明パンツの（ａ）正面視説明図、及び（ｂ）背面視説明図である。
【図６】匍匐動作を示す説明図である。
【図７】膝行動作（ａ，ｂ）を示す説明図である。
【図８】本発明の傾斜機能衣服の（ａ）正面視説明図、及び（ｂ）背面視説明図である。
【符号の説明】
１　滑動パッチ部材（連結体を含む）
１１　膨出部
１２　箱型チップ（支持枠）
１２１　薄片（支持枠）
１３　長穴
２　装着手段
２１　伸縮ベルト
２２　面ファスナ
３　防滑部材（防滑処理）
１００　表面潤滑処理部（移動接触部位）
３００　表面防滑処理部（駆動接触部位）
Ｘ　装身具
Ｙ　パンツ
Ｚ　傾斜機能衣服
【図１】
2004105693.tif 000003
【図２】
2004105693.tif 000004
【図３】
2004105693.tif 000005
【図４】
2004105693.tif 000006
【図５】
2004105693.tif 000007
【図６】
2004105693.tif 000008
【図７】
2004105693.tif 000009
【図８】
2004105693.tif 000010